(57)【要約】      （修正有）【課題】人体の頚部と腰部との曲線に対応でき、充気の飽和度を調整できる調整可能式エアクッション枕を提供する。【解決手段】長手構造を呈する本体１０と、制御パネルと電気的に接続する回路構造を有し、前記制御パネルは、前記本体に嵌め設けられており、前記本体の表面から外部に露呈する制御ユニット２０と、前記本体に嵌め設けられており、前記回路構造と電気的に接続する充気ユニット３０と、前記本体に嵌め設けられており、前記充気ユニットと連通するエア漏れユニット４０と、前記本体の形状に対応し、前記本体の表面に設けられ、前記本体の両端に近接する箇所で伸縮部５１がそれぞれ成形されており、前記二つの伸縮部がある距離で分離するエアバッグユニット５０と、該エアバッグユニットの前記二つの伸縮部の端部に設けられ、前記本体との間に前記エアバッグユニットが設けられる枕パッド６０とを含む。【選択図】図１
0003168244.tif 000002
【実用新案登録請求の範囲】
【請求項１】
長手構造を呈する本体と、
制御パネルと電気的に接続する回路構造を有し、前記制御パネルは、前記本体に嵌め設けられており、前記本体の表面から外部に露呈する制御ユニットと、
前記本体に嵌め設けられており、前記回路構造と電気的に接続する充気ユニットと、
前記本体に嵌め設けられており、前記充気ユニットと連通するエア漏れユニットと、
前記本体の形状に対応し、前記本体の表面に設けられ、前記本体の両端に近接する箇所で伸縮部がそれぞれ成形されており、前記二つの伸縮部がある距離で分離し、前記エア漏れユニット及び前記充気ユニットと連通するエアバッグユニットと、
前記エアバッグユニットの前記二つの伸縮部の端部に設けられ、前記本体との間に前記エアバッグユニットが設けられる枕パッドと、
を含み、
利用者の頚部と腰部とに前記枕パッドを合せて、前記充気ユニットにより前記エアバッグユニットにエアを注入して、前記二つの伸縮部により前記枕パッドが前記本体から分離して調整空間が形成されて、前記枕パッドが利用者の頚部と腰部とに押付けて、前記調整空間が利用者に圧縮されて変形し、
前記エア漏れユニットにより前記エアバッグユニットに注入されたエアを漏れ出すと、前記二つの伸縮部が縮んで、前記枕パッドが前記本体の表面に寄ることを特徴とする調整可能式エアクッション枕。
【請求項２】
前記本体は、三つの溝が設けられる組付面を有し、前記三つの溝には、前記制御ユニットと、前記充気ユニットと、前記エア漏れユニットと、がそれぞれ収容されることを特徴とする、請求項１に記載の調整可能式エアクッション枕。
【請求項３】
前記エア漏れユニットは、前記充気ユニットと連通するエア入れ管と、前記エアバッグユニットと連通する通気管と、を有することを特徴とする、請求項１に記載の調整可能式エアクッション枕。
【請求項４】
前記本体と前記エアバッグユニットの間には、更に、前記本体の形状に対応する被り板が設けられ、前記被り板に貫通孔が設けられ、前記エアバッグユニットは、前記被り板に対応する面に充気穴が設けられ、前記エア漏れユニットとの間に前記エアバッグユニットと連通する通気管が設けられ、前記充気ユニットからのエアが前記充気穴を経由して前記エアバッグユニットに進入し、前記エア漏れユニットの前記通気管は前記被り板にある前記貫通孔を挿通して前記エアバッグユニットと接続することを特徴とする、請求項１に記載の調整可能式エアクッション枕。
【請求項５】
前記制御ユニットの前記制御パネルには、スイッチと、充気ボタンと、エア漏れボタンと、が設けられることを特徴とする、請求項１に記載の調整可能式エアクッション枕。
【考案の詳細な説明】
【技術分野】
【０００１】
本考案は、充気可能なエアクッション枕に関し、特に、人体の頚部と腰部との曲線に対応でき、充気の飽和度を調整できる調整可能式エアクッション枕に関するものである。
【背景技術】
【０００２】
長時間に亘り、事務所で仕事をやり、本を読み、又はコンピュータを利用することは多くの国民の日常生活になった。人体の頭を支持する頚椎と人体の上半部を支持する腰椎とは、一定の姿勢を長時間に保持するため、例えば腰部や背部が痛くなるなどの問題が発生する。上記の問題を解決するために、人体の腰部及び頚部を支持して保護する製品、又は椅子の背当りに設けられる充気式按摩装置が市販されている。しかし、従来の充気式按摩装置は、充気したり、エアを漏れたりすることにより、按摩効果を達成できるが、その内部のエアバッグが何時でも充気している状態ではないため、人体の腰部及び頚部を長時間に支持することができない。これにより、人体の姿勢を変更できるパッドを利用することは一般となる。
【０００３】
従来のパッドは、軟質の充填物が布に覆われ、大量に生産されるものである。従来のパッドは、人体が寄って押えると、人体の曲線に対応する態様に変形できる。しかし、一般の矩形又は円形のパッドは、その内部の充填物の分布状態は中央の厚さが四周の厚さよりも厚いため、人体の頚部及び腰部の曲線に合うことができない。そして人体の頚部及び腰部は円弧曲線を呈するが、各利用者の身体に若干の異なりがあるため、頚椎と腰椎との湾曲程度が利用者によって異なる。これにより、同じ規格のパッドを利用する場合には、利用者によって異なる感じがする。換言すると、同じ規格のパッドは全部の利用者に快適感を与えることができない。
【０００４】
上記の問題を解決するために、手動充気式パッドが提案された。このような手動充気式パッドは、個人的な感じによって、充気の飽和度を変化してパッドの高さを変更できるが、人体が寄って押えると、手動充気式パッドの充気空間が圧縮されて硬さが増加する。そうすると、手動充気式パッドは、人体の曲線に良く対応することができなくなるため、利用者の頚椎及び腰椎を良く支持することができない。
【考案の概要】
【考案が解決しようとする課題】
【０００５】
本考案の主な目的は、充気の飽和度を調整でき、人体の頚部と腰部との曲線に対応でき、利用者の頚椎及び腰椎を良く支持でき、大量生産することが容易となる調整可能式エアクッション枕を提供することにある。
【課題を解決するための手段】
【０００６】
本考案の調整可能式エアクッション枕によると、長手構造を呈する本体と、
制御パネルと電気的に接続する回路構造を有し、前記制御パネルは、前記本体に嵌め設けられており、前記本体の表面から外部に露呈する制御ユニットと、
前記本体に嵌め設けられており、前記回路構造と電気的に接続する充気ユニットと、
前記本体に嵌め設けられており、前記充気ユニットと連通するエア漏れユニットと、
前記本体の形状に対応し、前記本体の表面に設けられ、前記本体の両端に近接する箇所で伸縮部がそれぞれ成形されており、前記二つの伸縮部がある距離で分離し、前記エア漏れユニット及び前記充気ユニットと連通するエアバッグユニットと、
前記エアバッグユニットの前記二つの伸縮部の端部に設けられ、前記本体との間に前記エアバッグユニットが設けられる枕パッドと、
を含み、
利用者の頚部と腰部とに前記枕パッドを合せて、前記充気ユニットにより前記エアバッグユニットにエアを注入して、前記二つの伸縮部により前記枕パッドが前記本体から分離して調整空間が形成されて、前記枕パッドが利用者の頚部と腰部とに押付けて、前記調整空間が利用者に圧縮されて変形し、
前記エア漏れユニットにより前記エアバッグユニットに注入されたエアを漏れ出すと、前記二つの伸縮部が縮んで、前記枕パッドが前記本体の表面に寄ることを特徴とする。
【０００７】
本考案の調整可能式エアクッション枕によると、前記本体は、三つの溝が設けられる組付面を有し、前記三つの溝に、前記制御ユニットと、前記充気ユニットと、前記エア漏れユニットと、がそれぞれ収容されることを特徴とする。
【０００８】
本考案の調整可能式エアクッション枕によると、前記エア漏れユニットは、前記充気ユニットと連通するエア入れ管と、前記エアバッグユニットと連通する通気管と、を有することを特徴とする。
【０００９】
本考案の調整可能式エアクッション枕によると、前記本体と前記エアバッグユニットの間には、更に、前記本体の形状に対応する被り板が設けられ、前記被り板に貫通孔が設けられ、前記エアバッグユニットは、前記被り板に対応する面に充気穴が設けられ、前記エア漏れユニットとの間に前記エアバッグユニットと連通する通気管が設けられ、前記充気ユニットからのエアが前記充気穴を経由して前記エアバッグユニットに進入し、前記エア漏れユニットの前記通気管は前記被り板にある前記貫通孔を挿通して前記エアバッグユニットと接続することを特徴とする。
【００１０】
本考案の調整可能式エアクッション枕によると、前記制御ユニットの前記制御パネルには、スイッチと、充気ボタンと、エア漏れボタンと、が設けられることを特徴とする。
【考案の効果】
【００１１】
本考案の調整可能式エアクッション枕によれば、充気の飽和度を調整でき、人体の頚部と腰部との曲線に対応でき、利用者の頚椎及び腰椎を良く支持でき、大量生産することが容易となるという効果を有する。
【図面の簡単な説明】
【００１２】
【図１】本考案の一実施例の構造を示す分解斜視図である。
【図２】本考案の一実施例の充気されていない状態の構造を示す斜視図である。
【図３】本考案の一実施例の充気された状態の構造を示す斜視図である。
【図４】本考案の一実施例の構築を示す模式図である。
【図５】本考案の一実施例が頚部に利用されている状態を示す模式図１である。
【図６】本考案の一実施例が頚部に利用されている状態を示す模式図２である。
【図７】本考案の一実施例が腰部に利用されている状態を示す模式図１である。
【図８】本考案の一実施例が腰部に利用されている状態を示す模式図２である。
【図９】本考案のエアクッション枕が人体の頚部と接触する状態を示す模式図である。
【図１０】本考案のエアクッション枕が人体の腰部と接触する状態を示す模式図である。
【考案を実施するための形態】
【００１３】
以下、本考案の実施の形態を図面に基づいて説明する。
まず、図１乃至図４を参照しながら本考案の一実施例の調整可能式エアクッション枕を説明する。エアクッション枕Ａは、本体１０と、制御ユニット２０と、充気ユニット３０と、エア漏れユニット４０と、エアバッグユニット５０と、枕パッド６０と、を含む。
【００１４】
本体１０は、軟性材料で作製されたものであり、長手構造を呈し、組付面１０１を有する。組付面１０１には、組付面１０１の形状に対応する被り板１１が設けられる。被り板１１に貫通孔１１１が設けられる。本実施例では、本体１０の組付面１０１に三つの溝１０２が設けられる。
【００１５】
制御ユニット２０は、制御パネル２２と電気的に接続する回路構造２１を有する。制御パネル２２には、スイッチ２２１と、充気ボタン２２２と、エア漏れボタン２２３と、が設けられる。制御パネル２２により、利用者はエアクッション枕Ａの充気・エア漏れを制御できる。制御ユニット２０の回路構造２１は本体１０に嵌め設けられており、制御パネル２２が本体１０の表面から外部に露呈する。本実施例では、制御ユニット２０が本体１０の溝１０２に収容されている。
【００１６】
充気ユニット３０は、本体１０の溝１０２に嵌め設けられており、回路構造２１と電気的に接続する。本実施例では、充気ユニット３０がエアポンプであり、制御ユニット２０により充気ユニット３０の充気動作を制御できる。
【００１７】
エア漏れユニット４０は、本体１０の溝１０２に嵌め設けられており、充気ユニット３０と連通するエア入れ管４１と、通気管４２と、を有する。本実施例では、エア漏れユニット４０がエア制御逆止弁である。
【００１８】
エアバッグユニット５０は、本体１０の形状に対応し、被り板１１に設けられる。エアバッグユニット５０は、両端を有し、前記両端に近接する箇所で伸縮部５１がそれぞれ設けられる。伸縮部５１、５１は、通気管４２を介してエア漏れユニット４０と連通し、エア入れ管４１を介して充気ユニット３０と連通する。本実施例では、エア漏れユニット４０の通気管４２が被り板１１の貫通孔１１１を挿通してエアバッグユニット５０と接続する。伸縮部５１、５１は、充気して膨張可能な構造であり、ある距離で互いに分離する。
【００１９】
枕パッド６０は、軟質材料で作製されたものであり、長手構造を有し、エアバッグユニット５０の伸縮部５１、５１の端部に設けられる。エアバッグユニット５０は枕パッド６０と本体１０の間に設けられる。エアバッグユニット５０の伸縮部５１、５１と枕パッド６０とにより調整空間６０１が形成される。
【００２０】
次に、本考案の一実施例の調整可能式エアクッション枕の使用方法を説明する。図４を参照する。図４は本考案の一実施例の構築を示す模式図であって、エアクッション枕Ａの作動方式を示す。スイッチ２２１をオンにすることにより、回路構造２１が電源（図示せず）と電気的に接続した後、制御パネル２２にある充気ボタン２２２及びエア漏れボタン２２３により、充気ユニット３０のエアバッグユニット５０に対する充気の飽和度を調整でき、これにより、枕パッド６０の高さを調整でき、ひいては各利用者の頚椎及び腰椎に応じて良く支持することができる。充気ボタン２２２は、充気ユニット３０を駆動して充気するためのものである。エア漏れボタン２２３は、充気ユニット３０の充気を停止して、エア漏れユニット４０からエアを漏れ出すためのものである。
【００２１】
図９に示すように、人体の頸部Ｂは、頚椎Ｂ１に支持され、円柱状を呈する。人体の腰部Ｃは、図１０に示すように、上部の肋骨及び下部の骨盤と連接するため、背部の腰椎Ｃ１に対応する箇所が凹み状を呈し、これにより、一般のパッドは単一の部位だけに対して快適感を与えることができる。図５乃至図１０を参照する。図５乃至図１０に示すように、エアクッション枕Ａは人体の頚部Ｂ及び腰部Ｃに利用され可能である。
【００２２】
図５、図６及び図９に示すように、利用者の頚部Ｂがエアクッション枕Ａに寄って押えた後、充気ユニット３０によりエアバッグユニット５０が適当に充気されて、伸縮部５１、５１の膨張により枕パッド６０が本体１０から離れて調整空間６０１が形成される。枕パッド６０と調整空間６０１とは、利用者の頚部Ｂに圧縮されて頚部Ｂに対応する曲線に変形するため、頚部Ｂの後ろ方の両側にある伸縮部５１、５１が頚椎Ｂ１を良く支持できる。そして制御ユニット２０によって充気ユニット３０とエア漏れユニット４０とを制御することにより、伸縮部５１、５１の充気の飽和度を変化できるため、エアクッション枕Ａを利用者に適する高さに調整することができる。
【００２３】
図１０を参照する。図１０は本考案のエアクッション枕Ａが人体の腰部Ｃと接触する状態を示す模式図である。伸縮部５１、５１の膨張により枕パッド６０が本体１０から離れて腰部Ｃの曲線に対応するようになって、腰椎Ｃ１を良く支持できる。図７及び図８を参照する。図７及び図８は本考案のエアクッション枕Ａが利用者の腰部Ｃに利用されている状態を示す模式図である。利用者の腰部Ｃがエアクッション枕Ａを寄って押えるときには、枕パッド６０が利用者の腰部Ｃの曲線に応じて変形して、エアバッグユニット５０を適当に充気した後、伸縮部５１、５１と枕パッド６０とにより、利用者の腰部Ｃがエアクッション枕Ａに良く支持される。
【産業上の利用可能性】
【００２４】
本考案は、エアクッション枕に適用することができる。
【符号の説明】
【００２５】
１０：本体
１１：被り板
２０：制御ユニット
２１：回路構造
２２：制御パネル
３０：充気ユニット
４０：エア漏れユニット
４１：エア入れ管
４２：通気管
５０：エアバッグユニット
５１：伸縮部
６０：枕パッド
１０１：組付面
１０２：溝
１１１：貫通孔
１１２：定位点
２２１：スイッチ
２２２：充気ボタン
２２３：エア漏れボタン
５０１：連接点
５０２：充気穴
６０１：調整空間
Ａ：エアクッション枕
Ｂ：頸部
Ｂ１：頸椎
Ｃ：腰部
Ｃ１：腰椎
【図１】
0003168244.tif 000003
【図２】
0003168244.tif 000004
【図３】
0003168244.tif 000005
【図４】
0003168244.tif 000006
【図５】
0003168244.tif 000007
【図６】
0003168244.tif 000008
【図７】
0003168244.tif 000009
【図８】
0003168244.tif 000010
【図９】
0003168244.tif 000011
【図１０】
0003168244.tif 000012